(57)【要約】【課題】伝送線路の長さなどにかかわらず、送信部から出力されたシリアルデータを受信部において確実に受信することのできる電子デバイス、および電子機器を提供すること。【解決手段】電気光学装置１００および電子機器１０００において、送信部３１０と受信部６７０とはシリアル信号伝送線路７１、７２、７３、７４で接続されている。また、送信部３１０と受信部６７０とはフィードバック用伝送線路７７によっても接続されている。このため、送信条件補正部３２５は、フィードバック用伝送線路７７を介して送信されてきた監視結果に基づいて送信部３１０での送信条件を適正な条件に変更する。【選択図】図３
2010130274.tif 000002
【特許請求の範囲】
【請求項１】
シリアル信号をシリアル信号伝送線路に出力する送信部と、
前記シリアル信号伝送線路を介して前記シリアル信号を受信する受信部と、
前記送信部から前記受信部への前記シリアル信号の送信状態の監視結果を前記送信部に送信するフィードバック用伝送線路と、
前記送信部に設けられ、前記フィードバック用伝送線路を介して送信されてきた前記監視結果に基づいて前記送信部での送信条件を変更する送信条件補正部と、
を有することを特徴とする電子デバイス。
【請求項２】
前記シリアル信号伝送線路は、高速シリアル転送を行なう差動信号線を含んでいることを特徴とする請求項１に記載の電子デバイス。
【請求項３】
前記受信部は、前記送信状態の良否を判定する送信状態判定部を備え、
当該送信状態判定部は、前記送信状態の判定結果を前記監視結果として前記フィードバック用伝送線路を介して前記送信部に送信し、
前記送信条件補正部は、前記送信状態判定部による前記判定結果に基づいて前記送信部での送信条件を変更することを特徴とする請求項１または２に記載の電子デバイス。
【請求項４】
前記受信部は、受信した前記シリアル信号を前記監視結果として前記フィードバック用伝送線路を介して前記送信部に送信し、
前記送信部は、前記送信状態の良否を判定する送信状態判定部を備え
前記送信条件補正部は、前記送信状態判定部による前記判定結果に基づいて前記送信部での送信条件を変更することを特徴とする請求項１または２に記載の電子デバイス。
【請求項５】
前記送信状態判定部は、前記送信状態として、前記フィードバック用伝送線路を介して送信されてきた前記シリアル信号の振幅および周波数のうちの少なくとも一方が適正であるか否かを判定することを特徴とする請求項３または４に記載の電子デバイス。
【請求項６】
前記送信条件補正部は、前記送信部での送信条件として、前記シリアル信号の振幅および周波数のうちの少なくとも一方を変更することを特徴とする請求項１乃至５の何れか一項に記載の電子デバイス。
【請求項７】
請求項１乃至６の何れか一項に記載の電子デバイスを備えていることを特徴とする電子機器。
【請求項８】
前記受信部は、電子機器の表示部を構成する電気光学パネルの側に配置され、
前記送信部は、前記電気光学パネルでの表示を制御する表示用制御装置の側に配置されていることを特徴とする請求項７に記載の電子機器。
【発明の詳細な説明】
【技術分野】
【０００１】
本発明は、送信部と受信部との間でシリアルデータを送受信する電子デバイス、および当該電子デバイスを備えた電子機器に関するものである。
【背景技術】
【０００２】
液晶装置などの電気光学装置を備えた電子機器において、電気光学パネルと制御装置との間でデータ転送を行なうにあたって、ＥＭＩノイズの低減などを目的としたインターフェースとしてＬＶＤＳ（Low Voltage Differential Signaling）などの高速シリアル転送方式を採用することが注目されている。かかる高速シリアル転送を行なうための高速シリアル受信部（ＨＳＳＩＦ／High Speed Serial Interface）は、シリアル化されたデータを差動信号により送信するトランスミッタ回路と、差動信号を差動増幅するレシーバ回路とによって実現される（特許文献１参照）。
【０００３】
また、高速シリアル転送は、配線の本数を減らすことができるという利点がある。このため、折り畳み式の携帯電話機などにおいて、電話番号入力や文字入力を行なうためのボタンが設けられた第１の機器部分と、ＬＣＤ（Liquid Crystal Display）などの電気光学装置やカメラデバイスが設けられた第２の機器部分とがヒンジなどの連結部分により連結されている場合に、ヒンジなどの連結部分を介して第１の機器部分と第２の機器部分との間でデータ転送を行なうのに適している。
【０００４】
かかる高速シリアル転送を採用するにあたっては、信号特性の向上やノイズの低減という面から高速信号線のインピーダンスコントロールを行い、トランスミッタ回路からレシーバ回路に常に一定の周波数で一定の振幅をもった信号が出力される。
【特許文献１】特開２００５−２５７８５４号公報
【発明の開示】
【発明が解決しようとする課題】
【０００５】
しかしながら、高速シリアル転送の場合、比較的低電圧の信号を高周波数で送受信するため、伝送線路の長さなどの影響を受けて、信号の振幅や周波数がシフトすると、レシーバ回路での受信を適正に行なえないという問題点がある。
【０００６】
以上の問題点に鑑みて、本発明の課題は、伝送線路の長さなどにかかわらず、送信部から出力されたシリアルデータを受信部において確実に受信することのできる電子デバイス、および当該電子デバイスを備えた電子機器を提供することにある。
【課題を解決するための手段】
【０００７】
上記課題を解決するために、本発明に係る電子デバイスは、シリアル信号をシリアル信号伝送線路に出力する送信部と、前記シリアル信号伝送線路を介して前記シリアル信号を受信する受信部と、前記送信部から前記受信部への前記シリアル信号の送信状態の監視結果を前記送信部に送信するフィードバック用伝送線路と、前記送信部に設けられ、前記フィードバック用伝送線路を介して送信されてきた前記監視結果に基づいて前記送信部での送信条件を変更する送信条件補正部と、を有することを特徴とする。
【０００８】
本発明では、送信部と受信部との間にはフィードバック用伝送線路が構成されており、送信条件補正部は、フィードバック用伝送線路を介して送信されてきた監視結果に基づいて送信部での送信条件を変更する。このため、シリアル信号伝送線路の長さなどによってシリアル信号の送信条件（振幅や周波数）が受信部のスペックから外れそうな場合や外れた場合でも、シリアル信号の送信条件を常に最適な状態に維持することができる。
【０００９】
本発明において、前記シリアル信号伝送線路は、高速シリアル転送を行なう差動信号線を含んでいる場合に適用すると効果的である。差動信号線を用いた高速シリアル転送の場合、振幅が低く、かつ、周波数が高いので、シリアル信号伝送線路の長さなどによってシリアル信号の送信条件（振幅や周波数）がずれやすいが、本発明によれば、かかるずれを確実に回避することができる。
【００１０】
本発明において、前記受信部は、前記送信状態の良否を判定する送信状態判定部を備え、当該送信状態判定部は、前記送信状態の判定結果を前記監視結果として前記フィードバック用伝送線路を介して前記送信部に送信し、前記送信条件補正部は、前記送信状態判定部による前記判定結果に基づいて前記送信部での送信条件を変更する構成を採用することができる。
【００１１】
本発明において、前記受信部は、受信した前記シリアル信号を前記監視結果として前記フィードバック用伝送線路を介して前記送信部に送信し、前記送信部は、前記送信状態の良否を判定する送信状態判定部を備え、前記送信条件補正部は、前記送信状態判定部による前記判定結果に基づいて前記送信部での送信条件を変更する構成を採用してもよい。
【００１２】
本発明において、前記送信状態判定部は、例えば、前記送信状態として、前記フィードバック用伝送線路を介して送信されてきた前記シリアル信号の振幅および周波数のうちの少なくとも一方が適正であるか否かを判定する。
【００１３】
本発明において、前記送信条件補正部は、前記送信部での送信条件として、例えば、前記シリアル信号の振幅および周波数のうちの少なくとも一方を変更する。
【００１４】
本発明を適用した電子デバイスは、携帯電話機、カーナビゲーション、パーソナルコンピュータなどの各種の電子機器に用いることができる。
【００１５】
かかる電子機器において、前記受信部は、例えば、電子機器の表示部を構成する電気光学パネルの側に配置され、前記送信部は、前記電気光学パネルでの表示を制御する表示用制御装置の側に配置されている構成を採用する。
【発明を実施するための最良の形態】
【００１６】
以下、本発明の好適な実施の形態として、送信部と受信部との間でシリアル転送を行なう電子デバイスとして、液晶装置コントローラと、電気光学パネルに実装された集積回路装置との間で高速シリアル転送を行う電気光学装置を説明する。なお、以下の説明で参照する図においては、各領域を図面上で認識可能な程度の大きさとするため、縮尺などを異ならしめてある。また、電極や配線の数についても簡素化して示してある。
【００１７】
［実施の形態１］
（電気光学装置の全体構成）
図１（ａ）、（ｂ）は各々、本発明を適用した電気光学装置（液晶装置）をその上に形成された各構成要素と共に対向基板の側から見た平面図、およびそのＨ−Ｈ′断面図である。図１（ａ）、（ｂ）において、本形態の電気光学装置１００（電子デバイス）は、ＴＮ（Twisted Nematic）モード、ＥＣＢ（Electrically Controlled Birefringence）モード、ＶＡＮ（Vertical Aligned Nematic）モードのアクティブマトリクス型の液晶装置である。この電気光学装置１００では、矩形の素子基板１０（電気光学装置用基板）と矩形の対向基板２０とがシール材２２を介して貼り合わされた電気光学パネル３０（液晶パネル）を有しており、素子基板１０と対向基板２０との間に液晶１ｆが保持されている。
【００１８】
シール材２２は、素子基板１０と対向基板２０とをそれらの周辺で貼り合わせるための光硬化樹脂や熱硬化性樹脂などからなる接着剤であり、両基板間の距離を所定値とするためのグラスファイバー、あるいはガラスビーズ等のギャップ材が配合されている。シール材２２には、その途切れ部分によって液晶注入口２５が形成され、液晶１ｆを注入した後、封止材２７により封止されている。
【００１９】
素子基板１０において、シール材２２で囲まれた領域内は、画素電極２ａや画素トランジスタ２ｃがマトリクス状に配列された画素配列領域１０ａになっており、画素電極２ａの表面には配向膜１９が形成されている。対向基板２０には、シール材２２の内側領域に遮光性材料からなる額縁２６（図１（ｂ）では図示を省略）が形成され、その内側が画像表示領域１ａになっている。対向基板２０には、図示を省略するが、各画素の縦横の境界領域と対向する領域にブラックマトリクス、あるいはブラックストライプなどと称せられる遮光膜が形成され、その上層側には、共通電極２８および配向膜２９が形成されている。また、対向基板２０において、素子基板１０の各画素に対向する領域には、ＲＧＢのカラーフィルタ（図示せず）がその保護膜とともに形成され、それにより、電気光学装置１００をモバイルコンピュータ、携帯電話機、液晶テレビなどといった電子機器のカラー表示装置として用いることができる。なお、電気光学装置１００がＩＰＳ(In Plane Switching)モードやＦＦＳ（Fringe Field Switching）モードのアクティブマトリクス型の液晶装置である場合、共通電極２８は、素子基板１０の側に形成される。
【００２０】
素子基板１０は対向基板２０よりも大きく、素子基板１０は、シール材２２の外側で対向基板２０の端部から張り出した張り出し領域１５を備えている。張り出し領域１５にはＩＣ実装領域１ｓが形成されており、このＩＣ実装領域１ｓには、走査ドライバ（走査線駆動回路）およびデータドライバ（ソース線駆動回路）などを内蔵する集積回路装置６０（半導体集積装置）がＣＯＧ（Chip On Glass）実装されている。
【００２１】
素子基板１０の張り出し領域１５には、ＩＣ実装領域１ｓに隣接する端部に基板接続領域１ｔが形成されており、この基板接続領域１ｔには、配線基板としてのフレキシブル配線基板７０が接続されている。フレキシブル配線基板７０には、各種配線パターンが形成されており、集積回路装置６０と液晶装置コントローラ３００側との電気的な接続が行なわれている。このように構成した電気光学装置１００は、図５を参照して例示する電子機器１０００に搭載される。
【００２２】
素子基板１０では、画素配列領域１０ａからＩＣ実装領域１ｓに向けて、画素配列領域１０ａの外側領域１ｂを通って、後述する走査線３ａやデータ線６ａから延在する引き回し配線１６、１７が形成されており、かかる引き回し配線１６、１７の端部は、集積回路装置６０を実装するためのパッドになっている。
【００２３】
また、素子基板１０において、ＩＣ実装領域１ｓと基板接続領域１ｔとの間には、液晶装置コントローラ３００からフレキシブル配線基板７０を介して出力された定電位や信号を集積回路装置６０に供給するための配線群１１が形成されている。
【００２４】
（電気光学装置の電気的構成）
図２は、本発明を適用した電気光学装置１００の電気的構成を示す説明図である。本形態の電気光学装置１００において、電気光学パネル３０に用いた素子基板１０には、複数のデータ線６ａ（ソース線）と、データ線６ａと交差する方向に延在する複数の走査線３ａ（ゲート線）と、データ線６ａおよび走査線３ａの交差に対応する複数の画素１０ｂとが構成され、かかる複数の画素１０ｂがマトリクス状に配列された領域によって画素配列領域１０ａが構成されている。
【００２５】
複数の画素１０ｂの各々には、画素電極２ａ、および画素電極２ａを制御するための画素トランジスタ２ｃ（電界効果型トランジスタ）が形成されている。データ線６ａは、画素トランジスタ２ｃのソースに電気的に接続されており、走査線３ａは、画素トランジスタ２ｃのゲートに電気的に接続されている。画素電極２ａは、画素トランジスタ２ｃのドレインに電気的に接続されており、電気光学装置１００では、画素トランジスタ２ｃを一定期間だけそのオン状態とすることにより、データ線６ａから供給される画像信号を各画素１０ｂの液晶容量に所定のタイミングで書き込む。液晶容量に書き込まれた所定レベルの画像信号は、素子基板１０に形成された画素電極２ａと、対向基板２０の共通電極２８（図１（ｂ）参照）との間で一定期間保持される。画素電極２ａには保持容量２ｅが付加されており、画素電極２ａの電圧は、例えば、ソース電圧が印加された時間よりも３桁も長い時間だけ保持される。これにより、電荷の保持特性は改善され、コントラスト比の高い表示を行うことのできる電気光学装置１００が実現される。本形態では、保持容量２ｅを構成するにあたって、走査線３ａと並行するように容量線３ｂが形成されているが、前段の走査線３ａとの間に保持容量２ｅが形成される場合もある。
【００２６】
（集積回路装置６０の構成）
本形態の電気光学装置１００において、集積回路装置６０には複数の回路ブロックが構成されている。また、集積回路装置６０において画素配列領域１０ａが位置する側の端部は、画素配列領域１０ａから延在する引き回し配線１６、１７の端部に接続するバンプの配列領域６６、６７になっている。集積回路装置６０において基板接続領域１ｔが位置する側の端部は、配線群１１の端部からなるパッドに接続するバンプの配列領域６８になっている。
【００２７】
本形態において、集積回路装置６０では、回路ブロックによって、走査ドライバ６１０、データドライバ６２０、電源回路６３０、階調電圧生成回路６４０、ロジック回路６８０、メモリ（図示せず）などが構成されている。メモリは、ＲＡＭなどにより構成されており、少なくとも１フレーム（１画面）分の画像データ（表示データ）を記憶する。
【００２８】
ロジック回路６８０には制御回路および表示タイミング制御回路などが形成されており、ロジック回路６８０において、制御回路は、各種制御信号を生成する機能を担う他、装置全体の制御を行う。具体的には、制御回路は、階調電圧生成回路６４０に対して階調特性（γ特性）を調整するための階調調整データ（γ補正データ）を出力する機能や、電源回路６３０に対して電源電圧を調整するための電源調整データを出力する機能を担っている。また、制御回路は、メモリへのライト／リード処理を制御する機能も担っている。表示タイミング制御回路は表示タイミングを制御するための各種の制御信号を生成し、メモリから電気光学パネル３０への画像データの読み出しを制御する。
【００２９】
データドライバ６２０は、電気光学パネル３０のデータ線６ａを駆動するためのデータ信号を生成する回路である。具体的にはデータドライバ６２０は、メモリから画像データ（階調データ）を受け、階調電圧生成回路６４０から複数（例えば２５６段階）の階調電圧（基準電圧）を受ける。そして、これらの複数の階調電圧の中から、画像データに対応する電圧を選択して、データ信号（データ電圧）として電気光学パネル３０のデータ線６ａに出力する。
【００３０】
走査ドライバ６１０は電気光学パネル３０の走査線３ａを駆動するための走査信号を生成する回路である。具体的には、走査ドライバ６１０では、内蔵するシフトレジスタにおいて信号を順次シフトし、このシフトされた信号をレベル変換した信号を、走査信号として電気光学パネル３０の各走査線３ａに出力する。
【００３１】
電源回路６３０は各種の電源電圧を生成する回路である。具体的には、入力電源電圧や内部電源電圧を、内蔵する昇圧回路が含む昇圧用キャパシタや昇圧トランジスタを用いてチャージポンプ方式で昇圧する。そして昇圧により得られた電圧を、データドライバ６２０、走査ドライバ６１０、階調電圧生成回路６４０などに供給する。
【００３２】
階調電圧生成回路（γ補正回路）６４０は階調電圧を生成してデータドライバ６２０に供給する回路である。
【００３３】
（データ転送のための構成）
図３は、本発明の実施の形態１に係る電気光学装置１００および電子機器１０００において、高速シリアル転送のための構成などを示す説明図である。
【００３４】
図２および図３に示すように、集積回路装置６０には、受信部として、インターフェース速度が比較的遅いクロック同期のシリアルインターフェース、あるいはパラレルインターフェースを行なう第１受信部６６０が構成されている。また、集積回路装置６０には、受信部として、高速シリアル転送を行なう第２受信部６７０が構成されている。
【００３５】
本形態において、第１受信部６６０はパラレルインターフェースであり、液晶装置コントローラ３００から出力されたライト信号、リード信号、リセット信号、チップセレクト信号などのコマンドを受信する。ここで、ライト信号、リード信号、リセット信号、チップセレクト信号は、ＣＭＯＳ（Complementary Metal Oxide Semiconductor）レベルよりも振幅が大きな信号である。なお、第１受信部６６０に対応する信号として、図３などには、ライト信号、リード信号、リセット信号、チップセレクト信号を例示してあるが、第１受信部６６０に対応する信号として、上記のコマンドの他、アドレスやスタンバイなどに対応する信号を例示することができる。また、本形態では、液晶装置コントローラ３００から集積回路装置６０に対して、グランド電位および駆動電位が供給される。
【００３６】
第２受信部６７０は、シリアルバスを介した高速シリアル転送を実現するインターフェースである。具体的には、シリアルバスの差動信号線を電流駆動あるいは電圧駆動することにより、液晶装置コントローラ３００との間で高速シリアル転送が実現される。かかる第２受信部６７０には、ＣＭＯＳレベル（差動信号）の振幅が小さな信号が入力される。より具体的には、図３に示すように、第２受信部６７０には、小振幅の差動データ信号ＤＰ、ＤＭや、小振幅の差動クロック信号ＣＫＰ、ＣＫＭが入力され、差動データ信号ＤＰ、ＤＭの差動増幅や、差動クロック信号ＣＫＰ、ＣＫＭの差動増幅を行って、液晶装置コントローラ３００からのデータを受信する。ここで、差動データ信号ＤＰ、ＤＭには、電気光学装置１００で表示される画像データが含まれている。差動データ信号ＤＰ、ＤＭは、互いに反転差動信号の関係にあり、差動クロック信号ＣＫＰ、ＣＫＭは、互いに反転差動信号の関係にある。
【００３７】
かかる高速シリアル転送を行なうことを目的に、第２受信部６７０は、クロック用レシーバ回路６７１、データ用レシーバ回路６７２、シリアル−パラレル変換回路６７３、ＰＬＬ回路６７４などを備えている。
【００３８】
また、液晶装置コントローラ３００側は送信部３１０を備えており、かかる送信部３１０は、クロック用トランスミッタ回路３０１、データ用トランスミッタ回路３０２、パラレル−シリアル変換回路３０３およびＰＬＬ回路３０４を備えたインターフェース回路３０５と、制御部３２０とを備えている。制御部３２０は、各種データをインターフェース回路３０５に出力する表示制御部（図示せず）の他、インターフェース回路３０５に供給する駆動電圧Ｖｄを生成する駆動電圧生成回路３２１と、クロック信号ＣＫを生成するクロック信号生成回路３２３とを備えている。かかる送信部３１０では、クロック信号生成回路３２３からＰＬＬ回路３０４にクロック信号ＣＫが出力され、ＰＬＬ回路３０４から出力されるクロック信号に基づいて、クロック用トランスミッタ回路３０１およびデータ用トランスミッタ回路３０２が動作する。従って、クロック用トランスミッタ回路３０１およびデータ用トランスミッタ回路３０２から出力される差動データ信号ＤＰ、ＤＭや、差動クロック信号ＣＫＰ、ＣＫＭの周波数は、クロック信号生成回路３２３から出力されるクロック信号ＣＫにより規定される。また、クロック用トランスミッタ回路３０１およびデータ用トランスミッタ回路３０２から出力される差動データ信号ＤＰ、ＤＭの振幅は、駆動電圧生成回路３２１から出力される駆動電圧Ｖｄにより規定される。
【００３９】
さらに、本形態において、受信部６７０は、Ｉ／Ｏ回路６７６および送信状態判定部６７７を備えている。また、送信部３１０は、インターフェース回路３０５にＩ／Ｏ回路３０６を備え、制御部３２０に送信条件補正部３２５を備えている。かかるＩ／Ｏ回路３０６、６７６、送信状態判定部６７７、および送信条件補正部３２５の機能については後述する。
【００４０】
このように構成した送信部３１０および受信部６７０において、クロック用トランスミッタ回路３０１は、差動クロック信号ＣＫＰ、ＣＫＭを出力し、クロック用レシーバ回路６７１は、この差動クロック信号ＣＫＰ、ＣＫＭの差動増幅を行い、得られたクロック信号を後段の回路に出力する。また、データ用トランスミッタ回路３０２は、差動データ信号ＤＰ、ＤＭを出力し、データ用レシーバ回路６７２は、この差動データ信号ＤＰ、ＤＭの差動増幅を行い、得られたデータ信号を後段の回路に出力する。
【００４１】
本形態の電気光学装置１００および電子機器１０００において、上記の高速シリアル転送は、図１、図２および図３に示すように、液晶装置コントローラ３００と電気光学パネル３０とを接続するフレキシブル配線基板７０に形成された配線パターン、および素子基板１０に形成された配線群１１からなるシリアル信号伝送線路７１、７２、７３、７４より行なわれる。かかるシリアル信号伝送線路７１、７２、７３、７４において、シリアル信号伝送線路７１、７２は、２本一組で高速シリアル転送用の差動信号線対を構成し、シリアル信号伝送線路７３、７４は、２本一組で高速シリアル転送用の差動信号線対を構成している。
【００４２】
（送信条件の補正のための構成）
このように構成した電気光学装置１００および電子機器１０００において、高速シリアル転送を採用した場合、パラレル転送と違って、信号特性の向上やノイズの低減という面から、シリアル信号伝送線路７１、７２、７３、７４のインピーダンスが各配線の延在方向の全体にわたって整合させてある。但し、高速シリアル転送の場合、振幅の小さな差動信号を高周波数で転送するため、フレキシブル配線基板７０の長さ寸法、すなわち、シリアル信号伝送線路７１、７２、７３、７４の長さ寸法によっては、クロック用レシーバ回路６７１およびデータ用レシーバ回路６７２において適正な受信を行なえないことがある。
【００４３】
そこで、本形態では、まず、フレキシブル配線基板７０および素子基板１０には、フィードバック用伝送線路７７を構成するための配線が形成されている。
【００４４】
また、受信部６７０には、フィードバック用伝送線路７７の一方端に接続するＩ／Ｏ回路６７６、および送信状態判定部６７７が構成されており、シリアル信号伝送線路７１、７２、７３、７４のうち、シリアル信号伝送線路７３、７４を介して送信されてくる差動データ信号ＤＰ、ＤＭ（シリアル信号）は、データ用レシーバ回路６７２および送信状態判定部６７７の双方に入力される。ここで、送信状態判定部６７７は、シリアル信号伝送線路７３、７４を介して送信されてきた差動データ信号ＤＰ、ＤＭの振幅および周波数を受信部６７０のスペックと比較し、差動データ信号ＤＰ、ＤＭの振幅および周波数が受信部６７０のスペックから外れている場合、あるいは外れそうである場合、その旨の判定結果を監視信号としてＩ／Ｏ回路６７６を介してフィードバック用伝送線路７７に出力する。
【００４５】
また、送信部３１０は、Ｉ／Ｏ回路３０６および送信条件補正部３２５を備えており、受信部６７０の送信状態判定部６７７から出力された監視結果は、フィードバック用伝送線路７７およびＩ／Ｏ回路３０６を介して送信条件補正部３２５に入力される。ここで、送信条件補正部３２５は、補正条件が格納されたメモリ３２６を備えており、送信状態判定部６７７から出力された監視結果に基づいて、駆動電圧生成回路３２１で生成する駆動電圧Ｖｄの値、およびクロック信号生成回路３２３で生成するクロック信号ＣＫの周波数を補正する。
【００４６】
（動作）
本形態の電気光学装置１００および電子機器１０００において、駆動電圧生成回路３２１で生成する駆動電圧Ｖｄの値、およびクロック信号生成回路３２３で生成するクロック信号ＣＫの周波数は、初期的には、送信部３１０の送信条件（振幅や周波数）が受信部６７０のスペックの中央値になるように設定されている。従って、電気光学装置１００および電子機器１０００の検査時、送信部３１０および受信部６７０は、初期設定された条件（目標値）で動作する。
【００４７】
その際、送信部３１０からシリアル信号伝送線路７３、７４を介して送信されてきた差動データ信号ＤＰ、ＤＭの振幅や周波数が初期設定された条件（目標値）からずれていた場合、送信状態判定部６７７は、その旨の信号をＩ／Ｏ回路６７６、フィードバック用伝送線路７７、Ｉ／Ｏ回路６７６を介して送信条件補正部３２５に出力する。その結果、送信条件補正部３２５は、かかるずれを補正するように、駆動電圧生成回路３２１およびクロック信号生成回路３２３に指令する。
【００４８】
例えば、送信条件補正部３２５が、送信部３１０からシリアル信号伝送線路７３、７４を介して送信されてきた差動データ信号ＤＰ、ＤＭの振幅が小さすぎる場合、送信条件補正部３２５は、駆動電圧生成回路３２１に指令し、駆動電圧Ｖｄを１段階高い値に変更させる。その結果、送信部３１０からシリアル信号伝送線路７３、７４を介して送信されてきた差動データ信号ＤＰ、ＤＭの振幅が適正な状態になれば、この状態を維持する。これに対して、１段階の変更では、送信部３１０からシリアル信号伝送線路７３、７４を介して送信されてきた差動データ信号ＤＰ、ＤＭの振幅が適正化できない場合、送信条件補正部３２５は、再度、駆動電圧生成回路３２１に指令し、駆動電圧Ｖｄをさらに１段階、変更させるなどの処理を行なう。
【００４９】
また、送信条件補正部３２５が、送信部３１０からシリアル信号伝送線路７３、７４を介して送信されてきた差動データ信号ＤＰ、ＤＭの周波数が高すぎる場合、送信条件補正部３２５は、クロック信号生成回路３２３に指令し、クロック信号ＣＫの周波数を１段階低い値に変更させる。その結果、送信部３１０からシリアル信号伝送線路７３、７４を介して送信されてきた差動データ信号ＤＰ、ＤＭの周波数が適正な状態になれば、この状態を維持する。これに対して、１段階の変更では、送信部３１０からシリアル信号伝送線路７３、７４を介して送信されてきた差動データ信号ＤＰ、ＤＭの周波数数が適正化できない場合、送信条件補正部３２５は、再度、クロック信号生成回路３２３に指令し、クロック信号ＣＫの周波数をさらに１段階、変更させるなどの処理を行なう。
【００５０】
なお、送信部３１０からシリアル信号伝送線路７３、７４を介して送信されてきた差動データ信号ＤＰ、ＤＭの振幅が大きすぎる場合や、周波数が低すぎる場合、上記と反対の補正が行なわれる。
【００５１】
かかる監視および補正は、その後、電気光学装置１００および電子機器１０００の電源をオンした際に行なわれる、また、電気光学装置１００および電子機器１０００の電源をオンした後、一定時間が経過する毎に行なわれる。
【００５２】
（本形態の主な効果）
以上説明したように、本形態の電気光学装置１００および電子機器１０００では、送信部３１０と受信部６７０との間にフィードバック用伝送線路７７が構成され、送信条件補正部３２５は、フィードバック用伝送線路７７を介して送信されてきた監視結果に基づいて送信部３１０での送信条件を変更する。このため、シリアル信号伝送線路７３、７４の長さなどによってシリアル信号の送信条件（振幅や周波数）が受信部６７０のスペックから外れそうな場合や外れた場合でも、シリアル信号の送信条件を常に最適な状態に維持することができる。
【００５３】
また、本形態においては、受信部６７０側に送信状態判定部６７７を設け、その判定結果をフィードバック用伝送線路７７によって送信部３１０側にフィードバックしている。そのため、シリアル信号伝送線路７３、７４を分岐させた配線を直接フィードバック用の伝送線路として用いる必要がないため、シリアル信号伝送線路７３、７４にて伝送される信号特性の劣化が少ないという利点がある。
【００５４】
［実施の形態２］
図４は、本発明の実施の形態２に係る電気光学装置１００および電子機器１０００において、高速シリアル転送のための構成などを示す説明図である。なお、本形態の基本的な構成は、実施の形態１と同様であるため、共通の機能を担う部分には同一の符号を付して図示し、それらの説明を省略する。
【００５５】
図４に示すように、本形態の電気光学装置１００（電子デバイス）および電子機器１０００でも、実施の形態１と同様、集積回路装置６０には、受信部として、高速シリアル転送を行なう第２受信部６７０が構成されており、第２受信部６７０は、クロック用レシーバ回路６７１、データ用レシーバ回路６７２、シリアル−パラレル変換回路６７３、ＰＬＬ回路６７４などを備えている。また、液晶装置コントローラ３００において、送信部３１０は、クロック用トランスミッタ回路３０１、データ用トランスミッタ回路３０２、パラレル−シリアル変換回路３０３およびＰＬＬ回路３０４を備えたインターフェース回路３０５と、制御部３２０とを備えている。かかる送信部３１０と受信部６７０との間の高速シリアル転送は、フレキシブル配線基板７０に形成された配線パターン、および素子基板１０に形成された配線群１１からなるシリアル信号伝送線路７１、７２、７３、７４より行なわれる。かかるシリアル信号伝送線路７１、７２、７３、７４において、シリアル信号伝送線路７１、７２は、２本一組で高速シリアル転送用の差動信号線対を構成し、シリアル信号伝送線路７３、７４は、２本一組で高速シリアル転送用の差動信号線対を構成している。
【００５６】
本形態では、送信部３１０には、インターフェース回路３０５には送信状態判定部３３０が構成され、制御部３２０に送信条件補正部３２５が構成されている。また、フレキシブル配線基板７０および素子基板１０には、２つのフィードバック用伝送線路７７１、７７２を構成するための配線が形成されている。さらに、受信部６７０には、シリアル信号伝送線路７１、７２、７３、７４のうち、シリアル信号伝送線路７３、７４をフィードバック用伝送線路７７１、７７２に接続するための配線７８１、７８２が形成されている。このため、シリアル信号伝送線路７３、７４を介して送信されてきた差動データ信号ＤＰ、ＤＭは、フィードバック用伝送線路７７１、７７２を介して送信部３１０に監視結果として転送される。その結果、シリアル信号伝送線路７３、７４を介して送信されてきた差動データ信号ＤＰ、ＤＭは、配線７８１、７８２およびフィードバック用伝送線路７７１、７７２を介して送信部３１０の送信状態判定部３３０に入力される。
【００５７】
ここで、送信状態判定部３３０は、電気光学装置１００および電子機器１０００の検査時、あるいは一定期間毎に、シリアル信号伝送線路７３、７４を介して送信されてきた差動データ信号ＤＰ、ＤＭの振幅および周波数を受信部６７０のスペックと比較する。そして、送信状態判定部３３０は、差動データ信号ＤＰ、ＤＭの振幅および周波数が受信部６７０のスペックから外れている場合、あるいは外れそうである場合、その旨の判定結果を監視信号として送信条件補正部３２５に出力する。従って、送信条件補正部３２５は、メモリ３２６に格納されている補正条件に基づいて、駆動電圧生成回路３２１で生成する駆動電圧Ｖｄの値、およびクロック信号生成回路３２３で生成するクロック信号ＣＫの周波数を補正する。
【００５８】
それ故、本形態の電気光学装置１００および電子機器１０００でも、実施の形態１と同様、シリアル信号伝送線路７３、７４の長さなどによってシリアル信号の送信条件（振幅や周波数）が受信部６７０のスペックから外れそうな場合や外れた場合でも、シリアル信号の送信条件を常に最適な状態に維持することができる。
【００５９】
また、本形態においては、シリアル信号伝送線路７３、７４を分岐させて、フィードバック用伝送線路７７１、７７２として用い、送信側に設けた送信状態判定部３３０に接続している。そのため、受信部６７０側には、何らの特別な回路を構成する必要がないという利点がある。
【００６０】
［その他の構成］
上記実施形態において、送信状態判定部３３０、６７７は、シリアル信号伝送線路７３、７４を介して送信されてきた差動データ信号ＤＰ、ＤＭの振幅および周波数が適正か否かを判定したが、差動クロック信号ＣＫＰ、ＣＫＭの振幅および周波数が適正か否かを判定してもよい。また、送信状態判定部３３０、６７７は、シリアル信号伝送線路７３、７４を介して送信されてきた差動データ信号ＤＰ、ＤＭ、および差動クロック信号ＣＫＰ、ＣＫＭの双方について振幅および周波数が適正か否かを判定してもよい。
【００６１】
上記実施形態では、電気光学装置１００として、液晶装置を例示したが、有機エレクトロルミネッセンス装置やプラズマ表示装置に本発明を適用してもよい。
【００６２】
［電子機器への搭載例］
次に、上述した実施形態に係る電気光学装置１００を適用した電子機器について説明する。図５（ａ）に、電気光学装置１００を備えたモバイル型のパーソナルコンピュータの構成を示す。パーソナルコンピュータ２０００は、表示ユニットとしての電気光学装置１００と本体部２０１０を備える。本体部２０１０には、電源スイッチ２００１及びキーボード２００２が設けられている。図５（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図５（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００６３】
なお、電気光学装置１００が適用される電子機器としては、図５に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、銀行端末などの電子機器などが挙げられる。そして、これらの各種電子機器の表示部として、前述した電気光学装置１００が適用可能である。
【図面の簡単な説明】
【００６４】
【図１】（ａ）、（ｂ）は各々、本発明を適用した電気光学装置（液晶装置）をその上に形成された各構成要素と共に対向基板の側から見た平面図、およびそのＨ−Ｈ′断面図である。
【図２】本発明を適用した電気光学装置の電気的構成を示す説明図である。
【図３】本発明の実施の形態１に係る電気光学装置および電子機器において、高速シリアル転送のための構成などを示す説明図である。
【図４】本発明の実施の形態２に係る電気光学装置および電子機器において、高速シリアル転送のための構成などを示す説明図である。
【図５】本発明に係る電気光学装置を用いた電子機器の説明図である。
【符号の説明】
【００６５】
１０・・素子基板（電気光学装置用基板）、２０・・対向基板、３０・・電気光学パネル、６０・・集積回路装置、７０・・フレキシブル配線基板（配線基板）、７１、７２、７３、７４・・シリアル信号伝送線路（差動信号線）、７７・・フィードバック用伝送線路、１００・・電気光学装置（電子デバイス）、１０００・・電子機器、３１０・・送信部、３２５・・送信条件補正部、３３０、６７７・・送信状態判定部、６６０・・第１受信部、６７０・・第２受信部
【図１】
2010130274.tif 000003
【図２】
2010130274.tif 000004
【図３】
2010130274.tif 000005
【図４】
2010130274.tif 000006
【図５】
2010130274.tif 000007